(57)【要約】【課題】ナット全体を金属単体からなるものとすることにより、製作が容易でコストの低減化を図ることができると共に、デッキプレートへの取付作業が簡単容易となるデッキプレート用インサートナットを提供する。【解決手段】インサートナット１Ａは、上端部に平面視六角形状のアンカー用径大頭部２を有する金属製のナット本体３には、吊りボルト１１の上端部が螺着される吊りボルト用ネジ孔４を形成すると共に、径大頭部２の下方にはこの径大頭部２と共にデッキプレート８内に配置される本体胴部５を形成し、本体胴部５の下方部外周には、デッキプレート８に設けたネジ下孔９又はネジ孔１０にねじ込まれて本体胴部５の下端面５ａをデッキプレート８の上面８ａに圧接させるナット固定用の雄ねじ部６を、吊りボルト１１の雄ねじとは逆ネジで本体胴部５の外径よりも径小に形成している。【選択図】図３
2014016013.tif 000002
【特許請求の範囲】
【請求項１】
上端部に平面視非円形状のアンカー用径大頭部を有する金属製のナット本体には、吊りボルトの上端部が螺着される吊りボルト用ネジ孔を形成すると共に、前記径大頭部の下方にはこの径大頭部と共にデッキプレート内に配置される本体胴部を形成し、この本体胴部の下方部外周には、デッキプレートに設けたネジ下孔又はネジ孔にねじ込まれて前記本体胴部の下端面をデッキプレートの上面に圧接させるナット固定用の雄ねじ部を、吊りボルトの雄ねじとは逆ネジで前記本体胴部の外径より径小に形成してなるデッキプレート用インサートナット。
【請求項２】
前記ナット固定用雄ねじ部の上端部に外嵌されて、本体胴部の下端面とデッキプレートの上面側との間に介挿されるシールリングを備えてなる請求項１に記載のデッキプレート用インサートナット。
【請求項３】
上端部に径大頭部を有する金属製のナット本体には、吊りボルトの上端部が螺着される吊りボルト用ネジ孔を形成し、このナット本体の少なくとも上端部外周には、デッキプレートに設けたネジ下孔又はネジ孔にねじ込まれて前記径大頭部の下面をデッキプレートの上面に圧接させるナット固定用の雄ねじ部を、吊りボルトの雄ねじとは逆ネジに形成してなるデッキプレート用インサートナット。
【請求項４】
前記径大頭部を平面視六角形状に形成してなる請求項１〜３の何れかに記載のデッキプレート用インサートナット。
【発明の詳細な説明】
【技術分野】
【０００１】
本発明は、デッキプレートに取り付けて、天井下地用吊りボルトの上端部を固定するのに使用されるデッキプレート用インサートナットに関するものである。
【背景技術】
【０００２】
従来のデッキプレート用インサートナットとして、特許公報等の公知文献を具体的に挙げることはできないが、従来より使用されているこの種のインサートナットは、上端部にアンカー用径大頭部を形成すると共に吊りボルトの上端部が螺着される吊りボルト用ネジ孔を形成した金属製の内筒と、中間部に突設された鍔部の下方に周方向に複数に分割形成された分割片を有する拡縮可能な樹脂製の外筒とからなるもので、インサートナットの使用にあたって、デッキプレートの所定箇所に設けた孔に外筒の鍔部下方を挿通させた後、外筒内に内筒をハンマーで軽く打ち込むことにより外筒の分割片の下部側を拡径させて、外筒の上端鍔部をデッキプレート上面に係止させると共に、内筒のアンカー用径大頭部下面部に内筒の上端を係止させ、それにより内外両筒をデッキプレートに固定するようにしたものである。
【発明の概要】
【発明が解決しようとする課題】
【０００３】
上記従来のインサートナットは、金属製の内筒と樹脂製の外筒からなるものであるが、金属製の内筒は製作が比較的容易で安価であるのに対し、樹脂製外筒は製作に非常に手間がかかってコストが高くつき、結局インサートナットの価格が高くなり、加えてデッキプレートへの取付作業が結構面倒であるという問題があった。
【０００４】
本発明は、上記の事情に鑑み、ナット全体を金属単体からなるものとすることにより、製作が容易でコストの低減化を図ることができると共に、デッキプレートへの取付作業が簡単容易となるデッキプレート用インサートナットを提供することを目的としている。
【課題を解決するための手段】
【０００５】
上記課題を解決するための手段を、後述する実施形態の参照符号を付して説明すると、請求項１に係る発明のインサートナット１Ａは、上端部に平面視非円形状のアンカー用径大頭部２を有する金属製のナット本体３には、吊りボルト１１の上端部が螺着される吊りボルト用ネジ孔４を形成すると共に、前記径大頭部２の下方にはこの径大頭部２と共にデッキプレート８内に配置される本体胴部５を形成し、この本体胴部５の下方部外周には、デッキプレート８に設けたネジ下孔９又はネジ孔１０にねじ込まれて前記本体胴部５の下端面５ａをデッキプレート８の上面８ａに圧接させるナット固定用の雄ねじ部６を、吊りボルト１１の雄ねじとは逆ネジで前記本体胴部５の外径より径小に形成してなることを特徴とする。
【０００６】
請求項２は、請求項１に記載のインサートナットにおいて、前記ナット固定用雄ねじ部６の上端部に外嵌されて、本体胴部５の下端面５ａとデッキプレート８の上面８ａとの間に介挿されるシールリング１２を備えてなることを特徴とする。
【０００７】
請求項３に係る発明のインサートナット１Ｂは、上端部に径大頭部２を有する金属製のナット本体３には、吊りボルト１１の上端部が螺着される吊りボルト用ネジ孔４を形成し、このナット本体３の少なくとも上端部外周には、デッキプレート８に設けたネジ下孔９又はネジ孔１０にねじ込まれて、前記径大頭部２の下面２ａをデッキプレート８の上面８ａに圧接させるナット固定用の雄ねじ部６を、吊りボルト１１の雄ねじとは逆ネジに形成してなることを特徴とする。
【０００８】
請求項４は、請求項１〜３の何れかに記載のデッキプレート用インサートナットにおいて、前記径大頭部２を平面視六角形状に形成してなることを特徴とする
【発明の効果】
【０００９】
上記解決手段による発明の効果を、後述する実施形態の参照符号を付して説明すると、請求項１に係る発明のインサートナット１Ａは、その全体が金属材で一体に形成されるから、製作が容易となって、製品コストの低廉化を図ることができると共に、デッキプレート８への取付が簡単容易となる。
【００１０】
また、このインサートナット１Ａの使用にあたっては、ナット本体３のナット固定用雄ねじ部６をデッキプレート８のネジ下孔９又はネジ孔１０にねじ込んで、本体胴部５の下端面５ａをデッキプレート８の上面８ａに圧接することにより、インサートナット１Ａをデッキプレート８に簡単、容易に取付固定できる。こうしてインサートナット１Ａをデッキプレート８に固定した後、デッキプレート８内にコンクリートＫを打設し、そのコンクリートＫが固化すれば、インサートナット１ＡはコンクリートＫ内に埋設固定された状態となり、しかして天井下地用の吊りボルト１１の上端部をナット本体３の吊りボルト用ネジ孔４に螺合締結することにより吊りボルト１１をインサートナット１Ｂに固定するが、この吊りボルト１１をナット本体３のネジ孔４にねじ込む時に、吊りボルト１１のねじ込み方向回転力は、吊りボルト１１の雄ねじとは逆ネジに形成されたナット本体３のナット固定用雄ねじ部６をデッキプレート８に対し締着させるように作用するから、インサートナット１Ａが供回りする恐れがなく、吊りボルト１１をナット固定用雄ねじ部６に的確に螺合締結できる。
【００１１】
請求項２に係る発明のインサートナット１Ａでは、ナット固定用の雄ねじ部６の上端部に外嵌されて、本体胴部５の下端面５ａとデッキプレート８の上面８ａとの間に介挿されるシールリング１２を備えることにより、コンクリートＫ打設時に水がデッキプレート８のネジ孔から漏れて滴下するのを防止することができる。
【００１２】
請求項３に係る発明のインサートナット１Ｂは、その全体が金属材で一体に形成されるから、製作が容易となって、製品コストの低廉化を図ることができると共にデッキプレート８への取付が簡単容易となる。また、このインサートナット１Ｂの使用にあたっては、ナット本体３のナット固定用雄ねじ部６をデッキプレート８のネジ下孔９又はネジ孔１０にねじ込んで、径大頭部２の下端面２ａをデッキプレート８の上面８ａに圧接させることによって、インサートナット１Ｂをデッキプレート８に簡単且つ容易に取付固定できる。こうしてインサートナット１Ｂをデッキプレート８に固定した後、天井下地用吊りボルト１１の上端部をナット本体３の吊りボルト用ネジ孔４に螺合締結することにより吊りボルト１１をインサートナット１Ｂに固定するが、この吊りボルト１１をナット本体３のナット固定用ネジ孔４にねじ込む時に、吊りボルト１１のねじ込み方向回転力は、吊りボルト１１の雄ねじとは逆ネジに形成されたナット固定用雄ねじ部６をデッキプレート８に対し締着させるように作用するから、インサートナット１Ｂが供回りする恐れがなく、吊りボルト１１をナット固定用雄ねじ部６に的確に螺合締結できる。従って、このインサートナット１Ｂは、その内部に断熱材が装填されるようなデッキプレート８に最適である。
【００１３】
請求項４に記載のように、回転操作具は六角形状に対応するものが多いことから、インサートナット１Ａ，１Ｂの径大頭部２は平面視六角形状に形成したものがよい。
【図面の簡単な説明】
【００１４】
【図１】(a) は本発明に係るインサートナットの一実施形態を示す正面図、(b) は平面図、(c) は底面図、(d) は同インサートナットのアンカー用径大頭部の変形例を示す一部正面図である。
【図２】(a) は図１に示すインサートナットをデッキプレートのネジ下孔に嵌め込んでいる状態の説明図、(b) は同インサートナットをデッキプレートのネジ孔に嵌め込んでいる状態の説明図である。
【図３】同インサートナットをデッキプレートに取り付けて、このデッキプレート内にコンクリートを打設した状態の説明図である。
【図４】ナット本体の本体胴部とデッキプレートの上面との間にシールリングを介挿した実施形態を示す断面図である。
【図５】(a) は他の発明に係るインサートナットの一実施形態を示す正面図、(b) は平面図、(c) は底面図、(d) は同インサートナットのアンカー用径大頭部の変形例を示す一部正面図である。
【図６】図５に示すインサートナットをデッキプレートに取り付けて、このデッキプレート内に断熱材を装填状態の説明図である。
【発明を実施するための形態】
【００１５】
以下に本発明の好適な実施形態を図面に基づいて説明すると、先ず、図１に示すデッキプレート用インサートナット１Ａは、デッキプレート８内にコンクリートが打設される場合に使用するもので、このナット全体が鋼材等の金属材によって一体に形成されている。このインサートナット１Ａは、上端部に平面視六角形状のアンカー用径大頭部２を有するナット本体３からなるもので、このナット本体３の下半部には、図３に示すように、下方より吊りボルト１１の上端部が螺着される吊りボルト用ネジ孔４が同心状に形成されている。
【００１６】
そして、このナット本体３にはアンカー用径大頭部２の下方に、この径大頭部２と共にデッキプレート８内に配置される本体胴部５を形成し、この本体胴部５の下方部には、図１の(a) から分かるように、本体胴部５の下端に隣接する外周面に、デッキプレート８に設けたネジ下孔９（図２の(a) 参照）又はネジ孔１０（図２の(b) 参照）にねじ込まれて本体胴部５の下端面をデッキプレート８の上面に圧接させるナット固定用雄ねじ部６を、吊りボルト１１の雄ねじとは逆ネジで本体胴部５の外径より径小に形成している。なお、図２の(a) に示すデッキプレート８のネジ下孔９は、ナット固定用雄ねじ部６の外径よりも径小に形成し、図２の(b) に示すネジ孔１０は、ナット固定用雄ねじ部６が螺合可能なネジ孔とする。また、ナット固定用雄ねじ部６の下方部は、この雄ねじ部６より径小の軸部７を形成する。この場合、吊りボルト１１の雄ねじは右ネジであるから、吊りボルト用ネジ孔４は右雌ねじに形成するが、ナット固定用の雄ねじ部６は左ネジに形成し、そしてデッキプレート８に設けるネジ孔１０（図２の(b) 参照）は、ナット固定用雄ねじ部６が螺合する左ネジに形成する。
【００１７】
このインサートナット１Ａでは、ナット本体３のアンカー用径大頭部２を平面視六角形状に形成しているが、平面視六角形に限ることなく、平面視が四角形や楕円形等の非円形であればよい。これは、頭部２が平面視円形であると、デッキプレート８のネジ下孔９やネジ孔１０に対するねじ込み時に回転操作が困難であるため、非円形であればよいというもので、好ましくは、回転操作具では六角形状に対応するものが多いことから、平面視六角形状のものがよい。
【００１８】
また、このインサートナット１Ａのアンカー用径大頭部２は、図１の(a) に示すように扁平状に形成しているが、同図の(d) に示すように比較的厚めで、皿形状に形成したものでもよく（皿形首部を２ｏで示す）、そうした場合には頭部２の強度を高めることができる。
【００１９】
また、本体胴部５の下方部に形成するナット固定用雄ねじ部６は、デッキプレート８のネジ下孔（非ネジ孔）９やネジ孔１０に対してねじ込むものであるから、図１の(a) に示すように比較的短く形成すればよい。但し、ナット本体３の下半部には吊りボルト１１の上端部を螺着する吊りボルト用ネジ孔４を形成すために、ナット本体３における本体胴部５の下端から下方に延びる部分の長さをある程度長くとる必要があり、従ってナット固定用雄ねじ部６の下方に雄ねじ部６より径小の軸部７を形成している。
【００２０】
上記のような構成よりなるデッキプレート用インサートナット１Ａの使用にあたって、図２の(a) に示すようにデッキプレート８のインサートナット取付位置にネジ下孔（非ネジ孔）９を形成した場合は、図示のようにインサートナット１Ａをデッキプレート８内のネジ下孔９上方に持ち来して、ナット本体３の下端軸部７をネジ下孔９に挿入した状態から、所要の回転操作具によってナット本体３のアンカー用径大頭部２を掴み、ナット固定用雄ねじ部６をネジ下孔９に押し込んで左回転させながら、その雄ねじ部６をネジ下孔９にねじ込んで、図３に示すように本体胴部５の下端面５ａをデッキプレート８の上面８ａに圧接させることによって、インサートナット１Ａをデッキプレート８に固定することができる。この時、インサートナット１Ａは、ナット本体３のうちのアンカー用径大頭部２及び本体胴部５がデッキプレート８内に配置され、ナット固定用雄ねじ部６の大部分及び径小軸部７がデッキプレート８の外方、即ち下方に突出する。
【００２１】
また、デッキプレート８に、図２の(b) に示すようにナット固定用雄ねじ部６が螺合可能なネジ孔１０を形成した場合は、ナット本体３の下端軸部７をネジ孔１０に挿入した状態から、回転操作具でナット本体３のアンカー用径大頭部２を掴み、ナット固定用雄ねじ部６をネジ孔１０に挿入して左回転させながら、その雄ねじ部６をネジ孔１０にねじ込んで、図３に示すように本体胴部５の下端面５ａをデッキプレート８の上面８ａに圧接させることにより、インサートナット１Ａをデッキプレート８に固定する。
【００２２】
こうしてインサートナット１Ａをデッキプレート８の所定位置に固定した後、デッキプレート８内にコンクリートＫを打設し、そのコンクリートＫが固化することにより、インサートナット１Ａは、図３に示すようにコンクリートＫ内に埋設固定された状態となる。しかして、同図に示すように、天井下地用吊りボルト１１の上端部をナット本体３の吊りボルト用ネジ孔４に対し右回転させて螺合締結する。この吊りボルト１１をナット本体３のネジ孔４にねじ込む際に、吊りボルト１１のねじ込み方向（右方向）回転力は、吊りボルト１１の雄ねじとは逆ネジに形成されたナット本体３のナット固定用雄ねじ部６をデッキプレート８に対し締着させるように作用するから、インサートナット１Ａを供回りさせる恐れがなく、吊りボルト１１をナット固定用の雄ねじ部６に的確に螺合締結することができる。
【００２３】
図４はナット本体３の本体胴部５とデッキプレート８の上面８ａとの間にシールリング１２を介挿した実施形態を示している。即ち、シールリング１２は、ゴムや軟質樹脂等によって外径が本体胴部５の外径よりも大きく且つ内径がナット固定用雄ねじ部６に嵌合し得るようなリング状に形成されたもので、このシールリング１２をナット固定用雄ねじ部６の上端側に嵌合させた状態で、図２の(a) 又は(b) に示すように、ナット固定用雄ねじ部６をネジ下孔９又はネジ孔１０にねじ込んで、本体胴部５の下端面５ａを、シールリング１２を介してデッキプレート８の上面８ａ側に圧接させることによって、インサートナット１Ａをデッキプレート８に固定できると共に、ナット本体３のナット固定用雄ねじ部６とこれが螺合されているネジ孔との隙間を水密シールすることができ、それによってコンクリートＫ打設時に水がデッキプレート８のネジ孔から漏れて滴下するのを防止することができる。
【００２４】
図５に示すデッキプレート用インサートナット１Ｂは、デッキプレート８内に断熱材Ｄが装填される場合に使用するもので、これもインサートナット１Ａと同じく、ナット全体が鋼材等の金属材によって一体に形成されている。このインサートナット１Ｂは、上端部に平面視六角形の径大頭部２を有するナット本体３からなるもので、ナット本体３には、吊りボルト１１の上端部が螺着される吊りボルト用ネジ孔４を形成し、このナット本体３の上端部外周には、デッキプレート８に設けたネジ下孔９（図２の(a) 参照）又はネジ孔１０（図２の(b) 参照）にねじ込まれて径大頭部２の下面２ａをデッキプレート８の上面８ａに圧接させるナット固定用雄ねじ部６を、吊りボルト１１の雄ねじとは逆ネジに形成している。
【００２５】
このインサートナット１Ｂでは、ナット本体３の上端部外周にナット固定用雄ねじ部６を形成しているが、ナット固定用雄ねじ部６は、ナット本体３全体の外周に形成してもよい。
【００２６】
このインサートナット１Ｂでは、ナット本体３の径大頭部２を平面視六角形状に形成しているが、平面視六角形に限ることなく、平面視が四角形や楕円形等の非円形に形成することができる。これは、頭部２が平面視円形であれば、デッキプレート８のネジ下孔９やネジ孔１０に対するねじ込み時に回転操作が困難であるため、非円形であればよいというもので、好ましくは、回転操作具が六角形状に対応するものが多いことから、平面視六角形状のものがよい。
【００２７】
また、このインサートナット１Ｂの径大頭部２は、図５の(a) に示すように上面２ｂを平坦面に形成しているが、同図の(d) に示すように上面を凸曲面状に形成することができ（その上面を２ｂｏで示す）、そうすることで頭部２の強度を高めることができる。
【００２８】
上記のような構成よりなるデッキプレート用インサートナット１Ｂの使用にあたって、デッキプレート８のインサートナット取付位置にネジ下孔９を形成した場合（図２の(a) 参照）は、インサートナット１Ｂをデッキプレート８内のネジ下孔９の上方に持ち来し、ナット本体３をネジ下孔に挿入した状態から、所要の回転操作具によりナット本体３の径大頭部２を掴み、ナット固定用雄ねじ部６をネジ下孔９に押し込んで左回転させながら、その雄ねじ部６をネジ下孔９にねじ込んで、図６に示すように径大頭部２の下端面２ａをデッキプレート８の上面８ａに圧接させることによって、インサートナット１Ｂをデッキプレート８に固定することができる。この時、インサートナット１Ｂは、図６に示すように、径大頭部２のみがデッキプレート８内に位置し、ナット本体３のナット固定用雄ねじ部６から下方部がデッキプレート８の外方、即ち下方に突出する。
【００２９】
また、デッキプレート８にネジ孔１０を形成した場合（図２の(b) 参照）は、ナット本体３をネジ孔に挿入した状態から、回転操作具によりナット本体３の径大頭部２を掴み、ナット固定用雄ねじ部６をネジ孔１０に挿入して左回転させながら、その雄ねじ部６をネジ孔１０にねじ込めば、図３に示すように径大頭部２の下端面２ａがデッキプレート８の上面８ａに圧接した状態となって、インサートナット１Ｂをデッキプレート８に固定することができる。
【００３０】
上記のようにしてインサートナット１Ｂをデッキプレート８の所定位置に固定した後、図６に示すように、デッキプレート８内に断熱材Ｄを装填する。しかして、同図に示すように、天井下地用の吊りボルト１１の上端部をナット本体３の吊りボルト用ネジ孔４に対し右回転させて螺合締結する。この時も、吊りボルト１１のねじ込み方向（右方向）回転力は、吊りボルト１１の雄ねじとは逆ネジに形成されたナット本体３のナット固定用雄ねじ部６をデッキプレート８に対し締着させるように作用するから、インサートナット１Ｂを供回りさせる恐れがなく、吊りボルト１１をナット固定用雄ねじ部６に的確に螺合締結することができる。
【符号の説明】
【００３１】
１Ａ            インサートナット
１Ｂ            インサートナット
２              径大頭部
３              ナット本体
４              吊りボルト用ネジ孔
５              本体胴部
６              ナット固定用の雄ねじ部
８              デッキプレート
９              デッキプレートのネジ下孔
１０            デッキプレートのネジ孔
１１            吊りボルト
【図１】
2014016013.tif 000003
【図２】
2014016013.tif 000004
【図３】
2014016013.tif 000005
【図４】
2014016013.tif 000006
【図５】
2014016013.tif 000007
【図６】
2014016013.tif 000008